(57)【要約】  パケット交換接続および回線交換接続が同時に使用されるという二重転送モードから、パケットが転送されるという単一モードへと当該移動デバイスが遷移する間に無線通信システムにおいて使用される移動デバイス、システムおよび方法が開示される。上記回線交換接続が解放されたとき、パケット資源は、回線交換接続トラフィックに対して使用されたタイムスロットをパケット・データ・トラフィックに対して使用されるタイムスロットへと変換することにより割当てられる。同様に、回線交換接続の解放段階の間であるが該回線交換接続の解放段階の完了前に、回線交換接続の解放の後に行われる変換を移動デバイスに対して通知するために、移動デバイスに対する既存メッセージ内に新たな喚起信号が含まれる。
2008527825.tif 000002
【特許請求の範囲】
【請求項１】
パケット交換接続および回線交換接続が同時に使用されるという二重転送モードで機能し得る移動デバイスと、
上記移動デバイスとネットワークとの間における回線交換接続の解放の開始を信号通知する信号通知ユニットと、
上記解放の開始に応じて、回線交換接続トラフィックに対して使用されたタイムスロットをパケット・データ・トラフィックに対して使用されるタイムスロットへと変換する変換要素と、
を備えて成る、回線交換接続が解放されたときにパケット資源を割当てるシステム。
【請求項２】
前記ネットワークは前記変換要素を備え、且つ、
上記ネットワークは、回線交換（ＣＳ）接続の解放の後に行われる前記変換を前記移動デバイスに対して通知する喚起信号を上記移動デバイスが前記二重転送モードに在る間に該移動デバイスに対して提供する喚起信号要素を更に備えて成る、
請求項１記載のシステム。
【請求項３】
前記二重転送モードの間における無線資源の初期割当ては、無線資源用の少なくともひとつの全タイムスロットを含むか、または、パケット・データと結合された無線資源用の半タイムスロットを含む、請求項１記載のシステム。
【請求項４】
前記喚起信号は、パケット・タイムスロット再構成メッセージに含まれる代わりに、パケットＣＳ解放表示メッセージまたはチャネル解放メッセージに含まれる、請求項２記載のシステム。
【請求項５】
前記喚起信号要素は前記解放の開始に応答し、且つ、前記喚起信号は再構成されたダウンリンクおよびアップリンク・パケット資源を表す、請求項２記載のシステム。
【請求項６】
前記変換は回線交換接続の解放の後に行われることを、回線交換接続の解放段階の間であるが該回線交換接続の解放段階の完了前に前記移動デバイスに対して喚起する喚起信号要素を更に備えて成る、請求項１記載のシステム。
【請求項７】
パケット交換接続および回線交換接続が同時に使用されるという二重転送モードで機能する段階と、
上記回線交換接続の解放を開始する段階と、
回線交換接続トラフィックに対して使用されたタイムスロットをパケット・データ・トラフィックに対して使用されるタイムスロットへと変換する段階と、
を備えて成る、回線交換接続が解放されたときにパケット資源を割当てる方法。
【請求項８】
回線交換（ＣＳ）接続の解放の後に行われる前記変換段階に関する喚起信号を、移動デバイスが二重転送モードに在る間に該移動デバイスに対して提供する段階、を更に備えて成る、請求項７記載の方法。
【請求項９】
二重転送モードの間における無線資源の初期割当ては、無線資源用の少なくともひとつの全タイムスロットを含むか、または、パケット・データと結合された無線資源用の半タイムスロットを含む、請求項７記載の方法。
【請求項１０】
前記喚起信号は、パケット・タイムスロット再構成メッセージに含まれる代わりに、パケットＣＳ解放表示メッセージまたはチャネル解放メッセージに含まれる、請求項８記載の方法。
【請求項１１】
前記喚起信号は前記開始段階の後で生成され、且つ、上記喚起信号は再構成されたダウンリンクおよびアップリンク・パケット資源を表す、請求項８記載の方法。
【請求項１２】
前記変換段階は回線交換接続の解放の後に行われることを、回線交換接続の解放段階の間であるが該回線交換接続の解放段階の完了前に移動デバイスに対して喚起する段階、を更に備えて成る、請求項７記載の方法。
【請求項１３】
移動デバイスとネットワークとの間における回線交換接続の解放の開始に応じて、回線交換接続トラフィックに対して使用されたタイムスロットをパケット・データ・トラフィックに対して使用されるタイムスロットへと変換する変換要素と、
回線交換（ＣＳ）接続の解放の後に行われる上記変換を上記移動デバイスに対して通知する喚起信号を上記移動デバイスが二重転送モードに在る間に該移動デバイスに対して提供する喚起信号要素と、
を備えて成る、二重転送モードの間に回線交換接続が解放されたときにパケット資源を割当てるネットワーク要素。
【請求項１４】
実行されたときに、
パケット交換接続および回線交換接続が同時に使用されるという二重転送モードを作用させる段階と、
回線交換接続の解放を開始する段階と、
回線交換接続トラフィックに対して使用されたタイムスロットをパケット・データ・トラフィックに対して使用されるタイムスロットへと変換する段階と、
を実施し得る実行可能コードが組み込まれたコンピュータ可読媒体であって、
二重転送モードの間に回線交換接続が解放されたときにパケット資源を割当てるソフトウェア・データ構造がコード化されたコンピュータ可読媒体。
【請求項１５】
回線交換（ＣＳ）接続の解放の後に行われる前記変換を、移動デバイスが前記二重転送モードに在る間に該移動デバイスに対して喚起すべく更に構成された、請求項１４記載のコンピュータ可読媒体。
【請求項１６】
パケット交換接続および回線交換（ＣＳ）接続が同時に使用されることでネットワークに対して通信を行うという二重転送モードから、実質的にパケット交換のみを使用するというモードへと遷移する移動デバイスであって、
当該移動デバイスと上記ネットワークとの間における回線交換接続の解放の開始を信号通知する信号通知ユニットと、
当該移動デバイスが上記二重転送モードに在る間に上記ネットワークから受信した喚起信号に応じて、回線交換接続トラフィックに対する使用からパケット・データ・トラフィックに対して使用されるタイムスロットへと変換されたタイムスロットを受信して処理する準備を行う中央処理要素と、
を備えて成る移動デバイス。
【請求項１７】
前記二重転送モードの間における無線資源の初期割当ては、無線資源用の少なくともひとつの全タイムスロットを含むか、または、パケット・データと結合された無線資源用の半タイムスロットを含む、請求項１６記載の移動デバイス。
【請求項１８】
前記喚起信号は、パケット・タイムスロット再構成メッセージに含まれる代わりに、パケットＣＳ解放表示メッセージまたはチャネル解放メッセージに含まれる、請求項１６記載の移動デバイス。
【請求項１９】
前記喚起信号は再構成されたダウンリンクおよびアップリンク・パケット資源を表す、請求項１６記載の移動デバイス。
【請求項２０】
前記喚起信号は、回線交換接続の解放段階の間であるが該回線交換接続の解放段階の完了前に受信される、請求項１６記載の移動デバイス。
【発明の詳細な説明】
【技術分野】
【０００１】
本発明は、２００５年１月５日に出願された米国仮特許出願第60/641,911号の優先権を主張する。
【０００２】
本発明は無線通信に関し、より詳細には、移動端末と無線通信を行うためのパケット交換方法および回線交換方法に関する。
【背景技術】
【０００３】
最初のＧＳＭ（移動通信用グローバル・システム）ネットワークは、音声サービスに対して設計された。ＧＳＭデータ・サービスが開始されると、回線交換（ＣＳ）ベアラ・サービスは集中的な特性を有する一定形式の用途に対して特に良好に適してはいないことが明らかとされた。故に、新たなパケット交換式（ＰＳ）データ伝送ＧＰＲＳ（汎用パケット無線サービス）は、パケット・サービスに対して規定された。ＧＰＲＳはＧＳＭネットワークを利用するパケット無線ネットワークであり、該ＧＰＲＳは、（たとえば移動局などの）移動デバイスとＧＰＲＳネットワークとの間におけるエア・インタフェースに対するＧＰＲＳプロトコル層によりデータ・パケット伝送の最適化を試行する。
【０００４】
ＧＰＲＳ移動デバイス（ＭＳ）は、３つの動作モード、すなわちクラスＡ、クラスＢおよびクラスＣの動作モードで動作し得る。たとえば、言及したことにより本明細書中に援用される3GPP TS 23.060、“サービス説明；ステージ２”を参照されたい。クラスＡの動作モードにおいて、ＭＳはＧＰＲＳサービスおよび他のＧＳＭサービスの両方に対して帰属される。移動ユーザは、たとえば通常のＧＳＭ音声発呼とＧＰＲＳデータ・パケット受信とを同時に行うなどの様に、２つのサービス上で同時に発呼を実行および／または受信し得る。クラスＢの動作モードにおいて、ＭＳはＧＰＲＳおよび他のＧＳＭサービスの両方に帰属するが、該ＭＳは一度に片方のサービスのみで動作し得る。クラスＣの動作モードにおいて、ＭＳはＧＳＭネットワークまたはＧＰＲＳネットワークのいずれかのみに帰属し得る。その選択は手動で行われると共に、同時的な動作は無い。
【０００５】
ＭＳがクラスＡモード（すなわち二重転送モード）において動作するときには、ＭＳの挙動に対して問題が生ずる。規格に依れば、二重転送モード（ＤＴＭ）にある間にＭＳがＣＳ接続（すなわちＲＲ接続）を解放したとき、パケット資源は中断され得る。たとえば、言及したことにより本明細書中に援用される3GPP TS 44.018、“無線資源制御プロトコル”を参照されたい。この問題は、（言及したことにより本明細書中に援用される）２００４年３月１６日に出願された米国特許出願第10/802,407号において論じられた如き、パケット転送モードから二重転送モードへと変わるときに遭遇する問題とは別である。この問題はまた、（言及したことにより本明細書中に援用される）米国特許出願第10/763,936号において論じられた如き、二重転送モードからパケット転送モードへと遷移する際に、移動デバイスがそのパケット交換機能をアイドリングすることを強制されるときに遭遇する問題とも別である。
【０００６】
もし上記ネットワークおよびＭＳが拡張ＤＴＭ  ＣＳ解放手順をサポートするなら、上記ＭＳは、ＲＲ接続が解放されたときに直接的にパケット転送モードに入り得る。これは図１に示されている。また、（言及したことにより本明細書中に援用される）3GPP TS 43.064、“ＧＰＲＳ無線インタフェースの全体的説明；ステージ２”も参照されたい。
【０００７】
現在の規格（言及したことにより本明細書中に援用される3GPP TS 44.018、“無線資源制御プロトコル”）に基づくと、ＭＳがパケット転送モードに在り且つ（無線資源もしくはＲＲ接続とも称される）ＣＳ接続が必要とされたとき、先ず全てのパケット資源が中断されねばならず、次にＲＲ接続が確立され、最後にパケット資源が要求され得る。このプロセスは、たとえば上記ＭＳが発呼を開始したときに行われる。この先行技術のシステムは、ＲＲ動作モードと、（ＤＴＭサポートされた）クラスＡとクラスＢとの間における遷移とを示す図１に例示される（上述の3GPP TS 43.064、“ＧＰＲＳ無線インタフェースの全体的説明；ステージ２”も参照）。一時的ブロック流（ＴＢＦ）の解放によればＭＳはパケット転送モード１０６からアイドル／パケット・アイドル状態１０４へと移り、その後にＭＳは、パケット転送機能およびＲＲ機能の両方を含む二重転送モード１０２にアクセスすべく、専用ＲＲ接続１０８を確立せねばならない。換言すると、パケット転送接続１０６の解放の後でＭＳはパケット・アイドル・モード１０４に在ると共に、該ＭＳは、専用ＣＳモード１０８を介して二重モード１０２に入るために、もう一度、システム情報の完全な獲得を実施し且つＰＳ資源を要求せねばならない。
【０００８】
図２は、先行技術のシステムが拡張ＤＴＭ  ＣＳ解放手順により如何にして作動するかを示している。４本の垂直線はネットワークの各部分またはステージを表している。線２０２は移動デバイス（ＭＳ）を表し、線２０４は基地局システム（ＢＳＳ）を表し、線２０６はサービングＧＰＲＳサポート・ノード（ＳＧＳＮ）を表し、且つ、線２０８は移動交換局（ＭＳＣ）を表している。図２は、最初に二重モードに従い回線交換セッション２１２およびパケット交換セッション２１０が進行することを示している。その後、ＭＳまたはネットワークはＣＳ接続の接続解除２１３を開始可能であり、すると回線交換式の発呼は発呼制御レベルにて解放され、引き続いてチャネルが解放される。図２においては、ＣＳ＝ＲＲ接続が解放されると共に、ＭＳはパケット転送モード２１６に移る。上記ＭＳは、パケット転送に対して使用されるタイムスロットにおいてのみ、該ＭＳのパケット資源を維持し得る。故に上記ＭＳは、ＲＲ接続に対して割当てられた単一のタイムスロット、または、ＲＲ接続とパケット転送とにより共有された単一のタイムスロットを解放する。上述の3GPP TS 44.060、“無線リンク制御／媒体アクセス制御（ＲＬＣ／ＭＡＣ）プロトコル”に仕様を定められた現在の手順によれば、パケット転送モードに在る間に上記ネットワークは、再構成を行うと共に、上記ＭＳに対して割当てられるタイムスロットの個数を増大するのが通常である。
【０００９】
残念乍ら現在の規格は、ＲＲ接続の解放の後においてパケット転送モードにおいて使用されるべきタイムスロットの割当ての仕様を定めていない（すなわちＴＤＭＡ構造における個数および箇所の仕様が定められていない）。現在における作業仮説は、移動デバイスは、ＲＲ接続トラフィックと共有された可能的なタイムスロット（の個数および箇所など）を除き、二重転送モードにおいて使用されるパケット資源を使用し得る、ということである。しかし現在において、二重転送モードに在る間にＲＲ接続が解放されたときに柔軟にパケット資源を割当てる手法は無い。
【発明の開示】
【課題を解決するための手段】
【００１０】
本発明は、ＲＲ接続に対して使用された無線資源が如何にして、無線インタフェースにおける一切の付加的な信号通知なしでパケット資源へと変換され得るか、および、二重転送モードに在る間におけるＲＲ接続の解放後にＭＳによりパケット転送モードにおいて使用されるべく割当てられた無線資源をネットワークが如何に示し得るかを記述する。本発明は先行技術を改良することから、二重転送モードに在る間にＲＲ接続が解放されたときに柔軟な様式でパケット資源が割当てられ得る。
【００１１】
本発明に依れば、パケット転送モードにおいて、PACKET TIMESLOT RECONFIGUREメッセージの伝送の如き不必要な付加的信号通知が回避され得る、と言うのも、二重転送モードに在る間にチャネル割当ては既に伝送されているからである。更に、ネットワークは更に多くの無線資源を割当て可能であり、移動デバイスはＲＲ接続の解放の直後に該無線資源を使用し得る。
【００１２】
本発明の移動デバイス、システム、方法およびソフトウェアは、移動デバイスが、パケット交換接続および回線交換接続が同時に使用されるという二重モードから、パケットが転送されるという単一モードへと遷移する際に無線通信システムにおいて使用される。回線交換接続が解放されたとき、パケット資源は、回線交換接続トラフィックに対して使用されたタイムスロットを、パケット・データ・トラフィックに対して使用されるタイムスロットへと変換することにより割当てられる。同様に、回線交換接続の解放段階の間であるが該回線交換接続の解放段階の完了前に、回線交換接続の解放の後に行われる変換を移動デバイスに対して通知するために、移動デバイスに対しては既存メッセージにおいて喚起信号が提供される。
【発明を実施するための最良の形態】
【００１３】
此処では２つの基本的実施例、すなわち変換の解決策および再構成の解決策が記述される。但し、これらの実施例は本発明が如何に実現され得るかの例であると共に、発明の有効範囲を制限すると解釈されるべきでないことは理解される。
【００１４】
変換の解決策に関して第１の選択肢は、現在の作業仮説に対する最小限の変更を伴うと共に、パケット転送モードにおいては、二重転送モードにおいて割当てられたよりも１個以上多いパケット・データ・チャネル（ＰＤＣＨ）上に同一の無線資源を維持する。これに加えてネットワークは、ＲＲ接続に対して割当てられた無線資源からパケット資源への変換を行い得る。二重転送モードにおいて、ＲＲ接続に対して割当てられた無線資源は、パケット転送と共有された全タイムスロットまたは半タイムスロットのいずれかであり得る。両方の場合において、ネットワークは、ＲＲ接続トラフィックに対して使用されたタイムスロット（たとえばトラフィック・チャネルＴＣＨ／ＦまたはＴＣＨ／Ｈ）からパケット・データ・トラフィック（たとえばパケット・データ・トラフィック・チャネルＰＤＴＣＨ）への変換を行い得ることが提案される。
【００１５】
図３はＴＣＨ／ＦがＰＤＴＣＨ／Ｆへと変換されるというマルチスロット・クラス５割当ての変換を示している。上側の２つの時分割多元接続（ＴＤＭＡ）フレーム構造３１０および３２０は、二重転送モードに在る間のタイムスロット割当てを表す一方、下側の２つのＴＤＭＡフレーム構造３３０および３４０は、ＲＲ接続の解放後にパケット転送モードに在る間における対応タイムスロット割当てを表している。
【００１６】
図４は、選択的な単一のタイムスロット割当てが如何に変換され得るかを示している。此処でも、上側の２つの時分割多元接続（ＴＤＭＡ）フレーム構造４１０および４２０は最初のタイムスロット割当てを表し、且つ、下側の２つのＴＤＭＡフレーム構造４３０および４４０は、対応する後続的なタイムスロット割当てを表している。組み合わせタイムスロットは、パケット転送モードに在る間に移動デバイスにより使用される単一個のＰＤＴＣＨ／Ｆタイムスロットへと変換される。
【００１７】
図５は、可能的な変換の場合の最後の例を示している。此処でも、上側の２つの時分割多元接続（ＴＤＭＡ）フレーム構造５１０および５２０は最初のタイムスロット割当てを表し、下側の２つのＴＤＭＡフレーム構造５３０および５４０は、対応する後続的なタイムスロット割当てを表している。この場合、組み合わされたダウンリンク・タイムスロットは単一のＰＤＴＣＨ／Ｆへと変換され、且つ、割当てられたＴＣＨ／Ｈから成る単一のアップリンク・タイムスロットは単一のＰＤＴＣＨ／Ｆへと変換される。ネットワークは、ＲＲ接続の解放の後に変換が起きることをＭＳに対して通知するために、喚起信号を送信する必要がある。この表示が必要なのは、上記ＭＳに対して割当てられるに十分な資源を上記ネットワークが有さないこともあるからである（すなわち、空きタイムスロットは他の目的に対して使用される）。本発明の実施例に依ればこの表示は、PACKET CS RELEASE INDICATION、CHANNEL RELEASEのいずれかにおいて、または、他のメッセージにおいて付加される。
【００１８】
上述の再構成の解決策に関し、完全な解決策は、ネットワークに対して完全制御を与えることで同一の又は異なるキャリヤ上でひとつ以上のＰＤＣＨ上に無線資源を割当てることである。本発明の好適実施例に依れば、上記ネットワークはＲＲ接続解放段階において、再構成されたダウンリンクおよびアップリンクのパケット資源をＭＳに対して表示する。上記ネットワークは再構成のために、PACKET CS RELEASE INDICATIONまたは別のメッセージのいずれかを使用し得る。別のメッセージを伴う後者の選択肢は、3GPP TS 44.060、“無線リンク制御／媒体アクセス制御（ＲＬＣ／ＭＡＣ）プロトコル”に仕様を定められた如きPACKET TIMESLOT RECONFIGUREメッセージの使用を必要とし得る。この場合、PACKET TIMESLOT RECONFIGUREメッセージには、拡張 DTM CS 解放表示パラメータも付加される。いずれにしても、先の選択肢（すなわち PACKET CS RELEASE INDICATION メッセージの使用）は多くの場合に好適であり得る、と言うのも、それは既に拡張 DTM CS 解放手順に対して適合されているからである。此処に、この選択肢に対するメッセージ内容の例が在る。
【００１９】
<Packet CS Release message content>::=
<PAGE_MODE bit (2)>
<GLOBAL_TFI:<Global TFI IE>>
<ENHANCED_DTM_CS_RELEASE_INDICATION: bit>
｛0｜1<Packet Uplink Assignment:<Uplink Assignment IE>>｝
｛0｜1<Packet Downlink Assignment:<Downlink Assignment IE>>｝
<padding bits>
【００２０】
アップリンク割当ておよびダウンリンク割当ての仕様を PACKET CS RELEASE INDICATION メッセージ中で定めると、情報に対して最も効率的なコード化が提供される。この結論は、PACKET TIMESLOT RECONFIGURE メッセージはＲ９７において既に仕様を定められていることから、この特定の場合には適切でない情報を含むという事実に基づいている。斯かる無関係の情報はメッセージのセグメント化に繋がることから、伝送時間が更に長くなり且つＲＲ接続の解放が相当に長く遅延される。
【００２１】
次に図６に移ると、回線交換接続が解放されたときにパケット資源を割当てる方法６００が示される。最初に移動デバイスは、パケット交換接続および回線交換接続が同時に使用されるという二重転送モード（ＤＴＭ）において機能６１０している。次に、回線交換接続の解放は、移動デバイスにより又はネットワーク側にて開始６２０される。解放段階の間（すなわち解放が完了する前）に上記移動デバイスは、ＣＳからパケット・データへの迫り来るタイムスロット変換が喚起される。引き続き、タイムスロットは回線交換からパケット・データ・トラフィックへと変換６４０される。
【００２２】
図７は、直上に記述された上記方法を実施するシステム７００の一例を示すブロック図である。該システムは当然乍ら、最初は二重転送モードを用いてネットワーク７２０と通信する移動デバイス７１０を含んでいる。上記ネットワーク内において信号通知ユニット７３０は、上記移動デバイスとネットワークとの間における回線交換接続の解放の開始を信号通知する（代替的に、解放は上記移動デバイスにより開始され得る）。ＣＳ解放の開始に応じて、喚起信号要素７４０は上記移動デバイスに対して変換喚起信号を送信し、引き続き、変換要素７５０はタイムスロットをＣＳからパケット・データへと変換する。喚起信号要素７４０および変換要素７５０はネットワーク要素７６０において実現され得る一方、信号通知ユニット７３０は代替的に移動デバイス７１０内に配置され得る。
【００２３】
次に図８に移ると、この図は本発明の実施例に係る移動デバイス８００を示している。言及された如く、ネットワーク側においてではなく移動側において信号通知ユニット８１０が回線交換資源の解放を開始することは可能である。これに応じて移動デバイスは、ＣＳからパケット交換データへの迫り来るタイムスロット変換を該移動デバイスに通知する喚起信号を受信する。この喚起信号情報によれば中央処理要素８２０は、二重転送モードが終了すれば直ちに変換済みタイムスロットを受信すべく準備できる。
【００２４】
本出願の全ての図面および付随する最良形態実施例の叙述的な検討は、考察された方法、移動デバイス、システム、ネットワーク要素およびソフトウェアを完全に厳密に論ずること意図していないことを理解すべきである。当業者であれば、本出願の各段階および各信号は種々の形式の中間的相互作用を除外しない概略的な因果関係を表すということを理解し、且つ、本出願に記述された種々の段階および構造は本明細書において更に詳述する必要のない種々の形態および順序を以てハードウェアおよびソフトウェアの種々の異なる組み合わせにより実現され得ることを更に理解し得よう。
【図面の簡単な説明】
【００２５】
【図１】図１は、先行技術に係るＲＲ動作モードおよび（ＤＴＭサポートされた）クラスＡおよびＢの遷移を示す図である。
【図２】図２は、先行技術に係る二重転送モードに在る間における拡張ＤＴＭ  ＣＳ解放手順を示す図である。
【図３】図３は、マルチスロット・クラス５の割当ての変換を示している。
【図４】図４は、選択的な単一のタイムスロットの変換を示している。
【図５】図５は、マルチスロット・クラス１１のタイムスロット割当ての変換を示している。
【図６】図６は、本発明に係る方法の実施例を示すフローチャートである。
【図７】図７は、本発明の実施例に従うシステムを示す図である。
【図８】図８は、本発明の実施例に従う移動デバイスのブロック図である。
【図１】
2008527825.tif 000003
【図２】
2008527825.tif 000004
【図３】
2008527825.tif 000005
【図４】
2008527825.tif 000006
【図５】
2008527825.tif 000007
【図６】
2008527825.tif 000008
【図７】
2008527825.tif 000009
【図８】
2008527825.tif 000010
【手続補正書】
【提出日】平成18年11月6日(2006.11.6)
【手続補正１】
【補正対象書類名】特許請求の範囲
【補正対象項目名】全文
【補正方法】変更
【補正の内容】
【特許請求の範囲】
【請求項１】
パケット交換接続および回線交換接続が同時に使用されるという二重転送モードで機能し得る移動デバイスと、
上記移動デバイスとネットワークとの間における回線交換接続の解放の開始を信号通知する信号通知ユニットと、
上記解放の開始に応じて、回線交換接続トラフィックに対して上記移動デバイスにより使用された全または半タイムスロットをパケット・データ・トラフィックに対して使用されるタイムスロットへと変換する変換要素と、
を備えて成り、上記変換要素は、パケット・データ・トラフィックに対して上記移動デバイスにより既に使用されているタイムスロットをパケット転送モードにおいて維持すべく構成され、
上記変換要素は更に、パケット・データ・トラフィックに対して上記移動デバイスにより使用されるべき更なるタイムスロットを付加すべく構成され、且つ、
上記変換要素は更に、回線交換トラフィックに対して上記移動デバイスにより使用されていたタイムスロットを割当て解除すべく構成される、
回線交換接続が解放されたときにパケット資源を割当てるシステム。
【請求項２】
前記ネットワークは前記変換要素を備え、且つ、
上記ネットワークは、回線交換（ＣＳ）接続の解放の後に行われる前記変換を前記移動デバイスに対して通知する喚起信号を上記移動デバイスが前記二重転送モードに在る間に該移動デバイスに対して提供する喚起信号要素を更に備えて成る、
請求項１記載のシステム。
【請求項３】
前記二重転送モードの間における無線資源の初期割当ては、無線資源用の少なくともひとつの全タイムスロットを含むか、または、パケット・データと結合された無線資源用の半タイムスロットを含む、請求項１記載のシステム。
【請求項４】
前記喚起信号は、パケット・タイムスロット再構成メッセージに含まれる代わりに、パケットＣＳ解放表示メッセージまたはチャネル解放メッセージに含まれる、請求項２記載のシステム。
【請求項５】
前記喚起信号要素は前記解放の開始に応答し、且つ、前記喚起信号は再構成されたダウンリンクおよびアップリンク・パケット資源を表す、請求項２記載のシステム。
【請求項６】
前記変換は回線交換接続の解放の後に行われることを、回線交換接続の解放段階の間であるが該回線交換接続の解放段階の完了前に前記移動デバイスに対して喚起する喚起信号要素を更に備えて成る、請求項１記載のシステム。
【請求項７】
パケット交換接続および回線交換接続が同時に使用されるという二重転送モードで機能する段階と、
上記回線交換接続の解放を開始する段階と、
回線交換接続トラフィックに対して上記移動デバイスにより使用された全または半タイムスロットをパケット・データ・トラフィックに対して上記移動デバイスにより使用されるタイムスロットへと変換する段階と、
を備えて成り、上記変換段階は、パケット・データ・トラフィックに対して上記移動デバイスにより既に使用されているタイムスロットをパケット転送モードにおいて維持し、
上記変換段階は、パケット・データ・トラフィックに対して上記移動デバイスにより使用されるべき更なるタイムスロットを付加し、且つ、
上記変換段階は、回線交換トラフィックに対して上記移動デバイスにより使用されていたタイムスロットを割当て解除する、
回線交換接続が解放されたときにパケット資源を割当てる方法。
【請求項８】
回線交換（ＣＳ）接続の解放の後に行われる前記変換段階に関する喚起信号を、移動デバイスが二重転送モードに在る間に該移動デバイスに対して提供する段階、を更に備えて成る、請求項７記載の方法。
【請求項９】
二重転送モードの間における無線資源の初期割当ては、無線資源用の少なくともひとつの全タイムスロットを含むか、または、パケット・データと結合された無線資源用の半タイムスロットを含む、請求項７記載の方法。
【請求項１０】
前記喚起信号は、パケット・タイムスロット再構成メッセージに含まれる代わりに、パケットＣＳ解放表示メッセージまたはチャネル解放メッセージに含まれる、請求項８記載の方法。
【請求項１１】
前記喚起信号は前記開始段階の後で生成され、且つ、上記喚起信号は再構成されたダウンリンクおよびアップリンク・パケット資源を表す、請求項８記載の方法。
【請求項１２】
前記変換段階は回線交換接続の解放の後に行われることを、回線交換接続の解放段階の間であるが該回線交換接続の解放段階の完了前に移動デバイスに対して喚起する段階、を更に備えて成る、請求項７記載の方法。
【請求項１３】
移動デバイスとネットワークとの間における回線交換接続の解放の開始に応じて、回線交換接続トラフィックに対して上記移動デバイスにより使用された全または半タイムスロットをパケット・データ・トラフィックに対して上記移動デバイスにより使用されるタイムスロットへと変換する変換要素と、
回線交換（ＣＳ）接続の解放の後に行われる上記変換を上記移動デバイスに対して通知する喚起信号を上記移動デバイスが二重転送モードに在る間に該移動デバイスに対して提供する喚起信号要素と、
を備えて成り、上記変換要素は、パケット・データ・トラフィックに対して上記移動デバイスにより既に使用されているタイムスロットをパケット転送モードにおいて維持すべく構成され、
上記変換要素は更に、パケット・データ・トラフィックに対して上記移動デバイスにより使用されるべき更なるタイムスロットを付加すべく構成され、且つ、
上記変換要素は更に、回線交換トラフィックに対して上記移動デバイスにより使用されていたタイムスロットを割当て解除すべく構成される、
二重転送モードの間に回線交換接続が解放されたときにパケット資源を割当てるネットワーク要素。
【請求項１４】
実行されたときに、
パケット交換接続および回線交換接続が同時に使用されるという二重転送モードを作用させる段階と、
回線交換接続の解放を開始する段階と、
回線交換接続トラフィックに対して上記移動デバイスにより使用された全または半タイムスロットをパケット・データ・トラフィックに対して上記移動デバイスにより使用されるタイムスロットへと変換する段階と、
を実施し得る実行可能コードが組み込まれたコンピュータ可読媒体であって、
上記変換段階は、パケット・データ・トラフィックに対して上記移動デバイスにより既に使用されているタイムスロットをパケット転送モードにおいて維持し、
上記変換段階は、パケット・データ・トラフィックに対して上記移動デバイスにより使用されるべき更なるタイムスロットを付加し、且つ、
上記変換段階は、回線交換トラフィックに対して上記移動デバイスにより使用されていたタイムスロットを割当て解除する、
二重転送モードの間に回線交換接続が解放されたときにパケット資源を割当てるソフトウェア・データ構造がコード化されたコンピュータ可読媒体。
【請求項１５】
回線交換（ＣＳ）接続の解放の後に行われる前記変換を、移動デバイスが前記二重転送モードに在る間に該移動デバイスに対して喚起すべく更に構成された、請求項１４記載のコンピュータ可読媒体。
【請求項１６】
パケット交換接続および回線交換（ＣＳ）接続が同時に使用されることでネットワークに対して通信を行うという二重転送モードから、実質的にパケット交換のみを使用するというモードへと遷移する移動デバイスであって、
当該移動デバイスと上記ネットワークとの間における回線交換接続の解放の開始を信号通知する信号通知ユニットと、
当該移動デバイスが上記二重転送モードに在る間に上記ネットワークから受信した喚起信号に応じて、回線交換接続トラフィックに対する使用からパケット・データ・トラフィックに対して使用されるタイムスロットへと変換された全または半タイムスロットを受信して処理する準備を行う中央処理要素と、
を備えて成り、上記中央処理要素は、パケット・データ・トラフィックに対して上記移動デバイスにより既に使用されているタイムスロットをパケット転送モードにおいて維持すべく構成され、
上記中央処理要素は更に、パケット・データ・トラフィックに対して上記移動デバイスにより使用されるべき更なるタイムスロットを付加すべく構成され、且つ、
上記中央処理要素は更に、回線交換トラフィックに対して上記移動デバイスにより使用されていたタイムスロットを割当て解除すべく構成される、
移動デバイス。
【請求項１７】
前記二重転送モードの間における無線資源の初期割当ては、無線資源用の少なくともひとつの全タイムスロットを含むか、または、パケット・データと結合された無線資源用の半タイムスロットを含む、請求項１６記載の移動デバイス。
【請求項１８】
前記喚起信号は、パケット・タイムスロット再構成メッセージに含まれる代わりに、パケットＣＳ解放表示メッセージまたはチャネル解放メッセージに含まれる、請求項１６記載の移動デバイス。
【請求項１９】
前記喚起信号は再構成されたダウンリンクおよびアップリンク・パケット資源を表す、請求項１６記載の移動デバイス。
【請求項２０】
前記喚起信号は、回線交換接続の解放段階の間であるが該回線交換接続の解放段階の完了前に受信される、請求項１６記載の移動デバイス。
【国際調査報告】
2008527825.tif 000011
2008527825.tif 000012
2008527825.tif 000013